(57)【要約】【課題】本発明は、軽量小型で、かつ刃が露出せず、携帯可能なカード型カッターを提供することを目的とするものである。また、台や定規を用いることなく、正確に直線状に紙を切ることを可能とし、複数の写真が印刷された紙から、簡単にその一部を切り抜くことが可能なカード型カッターを提供することを目的とするものである。【解決手段】本発明によれば、携帯用カッターであって、下プレートと、上プレートと、この上下の両プレートの一端でこの上下のプレートを離間して接続するブリッジ部と、この離間部にスライド移動可能に設けられたガイド部材と、前記両プレートの他端側の離間部に設けられた刃とを有することを特徴としている。【選択図】    図１
2013233377.tif 000002
【特許請求の範囲】
【請求項１】
下プレートと、上プレートと、この上下の両プレートの一端で、この上下のプレートを離間して接続するブリッジ部と、この離間部にスライド移動可能に設けられたガイド部材と、前記両プレートの他端側の離間部に設けられた刃とを有することを特徴とするカード型カッター。
【請求項２】
上プレートに、刃の位置付近を一端とする切断線を表す線が設けられていることを特徴とする請求項１項記載の携帯用カッター。
【請求項３】
上プレートに、切断線からの距離を示す目盛が設けられていることを特徴とする請求項１項記載のカード型カッター。
【請求項４】
上プレートの長辺が、下プレートの長辺より短く構成され、刃に対抗する方向の端部で、上プレートと下プレートとで段差が形成されていることを特徴とする請求項１項記載のカード型カッター
【発明の詳細な説明】
【技術分野】
【０００１】
本発明は、カッターに関するものであって、特に刃先が露出しない携帯可能なカード型カッターに関するものである。
【背景技術】
【０００２】
例えば、街角に設置してある証明写真ボックスで証明写真を撮った場合、複数の証明写真が１枚の紙に印刷されるため、そのままでは、証明書に写真を貼ることはできない。
このとき、写真を紙から切り抜くために、ハサミを持ち歩くことは、軽犯罪法、或いは銃刀法違反となる可能性がある。
また、従来のカッターは、取っ手と、その取っ手の先端から突出される刃からなるため、日常携帯して持ち運ぶと、はさみと同様に軽犯罪法、或いは銃刀法違反となる可能性がある。
【０００３】
特開２００２−２３９２６６号には、刃をケースホルダに収納したカッターが示されている。これを用いて証明写真を切り抜くためには、紙を置く台と定規が必要となる。
また、実用新案登録第３０３１３７８号には、カッターの刃を使った封筒開封器が示されている。これは、封筒の開封には利用できるが、証明写真を切り抜くことはできない。
【０００４】
【特許文献１】特開２００２−２３９２６６号
【特許文献２】実用新案登録第３０３１３７８号
【発明の開示】
【発明が解決しようとする課題】
【０００５】
本発明は、軽量、小型で、かつ刃が露出せず、携帯可能なカード型カッターを提供することを目的とするものである。
また、台や定規を用いることなく、正確に直線状に紙を切ることを可能とし、複数の写真が印刷された紙から、簡単にその一部を切り抜くことが可能なカード型カッターを提供することを目的とするものである。
【０００６】
特に、証明写真や、これと同程度の複数の小さな写真で構成された紙から、写真を切り抜きたいとき、どこにいてもすぐに取り出せて使用できるようなカード型カッターを提供することを目的としている。
【課題を解決するための手段】
【０００７】
上記課題を解決するため、本発明は請求項１に記載するように、カード型カッターであって、下プレートと、上プレートと、この上下のプレートの一端でこの上下のプレートを離間して接続するブリッジ部と、この離間部にスライド移動可能に設けられたガイド部材と、前記プレートの他端側の離間部に設けられた刃とを有することを特徴を特長としている。
【０００８】
また、請求項２に記載するように、上プレートに、刃の位置付近を一端とする切断線を表す線が設けられていることを特徴とし、また請求項３に記載するように、上プレートに、切断線からの距離を示す目盛が設けられていることを特徴とし、また請求項４に記載するように、上プレートの長辺が、下プレートの長辺より短く構成され、刃に対抗する方向の端部で、上プレートと下プレートとで段差が形成されていることを特徴としている。
【発明の効果】
【０００９】
本発明によれば、カッターを小型軽量とすることが可能となり、写真等を部分的に正確に切り取ることが可能となる。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例を示す正面図であり、図２は矢印Ａで示される方向から見た側面図、図３は矢印Ｂで示される方向から見た側面図を示している。
１は上プレートであり、中央にスリット１０が形成されている。
２は下プレートであり、上プレート１と離間して配置される。
３は上プレート１の一端と下プレート２の一端とを接続し、上述の離間部３０を形成するブリッジ部である。
４はガイド部材であり、前述の上プレート１と下プレート２との離間部分３０に、この離間部分３０をスライド移動可能に配置される。
尚、前述の上プレート１に設けられたスリット１０から、このガイド部材４のスライダーが露出し、このスライダー４０をスリット１０に沿って移動することで、ガイド部材４はスライド移動する。
５は刃であり、上プレート１の他端の上部に、刃５をガイド部材４の長辺の方向（以下ガイド部材４の方向と称する）と並行にかつ刃先を下に向けて配置される。
【００１２】
尚、ガイド部材４の上下には回転ずれの防止のための突出部４１が上面と下面に設けられており、この突出部４１がスライド移動するための溝１１が、上プレート１及び下プレート２に、前記ガイド部材４の長軸方向と垂直方向に設けられている。
また、上プレート１には、刃５を一端として、ガイド部材４と並行に切断線を表す線１２が設けられている。
更に、上プレート１の下には、切断線からの距離を現す目盛１３が１ｃｍ間隔で、前記ガイド部材４の方向と垂直に設けられている。
【００１３】
刃５はセラミック材で構成されたものであり、これが固定用部材に固定され、この固定部材が、上プレート１に着脱可能に配置、固定される。
また、刃５の先端が配置される溝が、下プレート２の対抗する位置に設けられている。
【００１４】
上述の目盛１３を目安に、切断したい紙の位置が切断線になるように、前記ガイド部材４をスライダー４０を指で押すことによってスライド移動させて、その位置でスライダー４０を指で固定し、離間部分３０に紙を挿入し、ガイド部材４に沿って移動することによって、紙は刃５によって直線的に正確に切断される。
【００１５】
上プレート１の長軸方向の大きさは、下プレート２長軸方向の大きさより小さく構成されており、刃５の配置された上プレート１上辺と下プレート２の上辺は同じ位置とし、上プレート１の下辺が下プレート２の下辺よりも刃側により近くなるように、上プレート１と下プレート２とで下辺に段差１４が設けられている。
この段差１４によって、切断したい紙が、離間部３０に挿入しやすくなっている。
【００１６】
本実施例の携帯用カッターの大きさは、縦１２ｃｍ、横８ｃｍ、幅１ｃｍであり、証明写真の例えば、縦４ｃｍ、横３ｃｍの大きさの切り抜きを切り取るために用いられる。
尚、上プレート１を透明な樹脂板で構成することにより、紙の切断位置をより簡単に、切断線に合わせて配置できるようにしている。
【００１７】
尚、本実施例では、刃５を上プレート１に固定して、切断したい紙を移動させて切断するものであるが、この刃５を切断線に沿って移動可能としてもよい。この場合は、切断線に沿ったスリットを設け、このスリットに沿って移動可能とする。
【００１８】
また、本実施例装置の大きさは少し大きくなるが、切断したい紙をより挿入しやすくするために、離間部の幅を大きくし、刃に近づくにしたがって、離間部の幅を小さくすることで、より簡単確実に切断が可能となるように構成してもよい。
【００１９】
より正確に直線状に切断可能とするために、切断するための紙の移動方向に回転するゴムローラーを、刃５の前方に設けてもよい。この場合、ゴムローラーの回転によって進行方向が抑制され、より正確に紙が刃５に向かって移動可能となり、紙を押す方向が多少ずれても、ずれが抑制されて、正確に直線的に切断される。
【００２０】
本発明は、上述の実施例に限定されるものではなく、例えば、本発明装置の大きさは上述の実施例より大きく、あるいは小さくしてもよい。
また、刃５の配置位置、スライダーの位置も変更可能である。
【産業上の利用可能性】
【００２１】
本発明は、常時持ち運び可能なカード型カッターであり、証明写真など、複数の個別の写真が印刷された大きな紙から小さな紙片を、正確に切り取り可能な新規なカッターを提供するものである。
【図面の簡単な説明】
【００２２】
【図１】図１は、本発明の実施例の形態に係る構成を示す正面図である。
【図２】図２は、本発明の実施例の形態に係る構成を示す下側面図である。
【図３】図３は、本発明の実施例の形態に係る構成を示す右側面図である。
【符号の説明】
【００２３】
１：上プレート
２：下プレート
３：ブリッジ部
４：ガイド部材
５：刃
【図１】
2013233377.tif 000003
【図２】
2013233377.tif 000004
【図３】
2013233377.tif 000005